(57)【要約】【課題】本発明は、泥に足が取られることを抑制できる泥地用靴を提供することを課題とする。【解決手段】本発明の泥地用靴は、踏まず部及びかかと部を有するソールと、このソールの上方に配設されるアッパーとを備える泥地用靴であって、かかと部が底面に形成される給気溝を有し、一端が給気溝内でこの給気溝形成方向に開口し、他端がソールよりも上方で開口するかかと部用通気路が設けられていることを特徴とする。給気溝が前後方向に延在する幹溝部を有し、かかと部用通気路が幹溝部の後端に開口するとよい。給気溝が、幹溝部から分岐する枝溝部をさらに有するとよい。一端が踏まず部の下方に開口し、他端がソールよりも上方で開口する踏まず部用通気路がさらに設けられているとよい。踏まず部用通気路の一部がかかと部に埋設され、踏まず部用通気路の一端がかかと部から前方上側に向かって突出するとよい。【選択図】図１
2015229005.tif 000002
【特許請求の範囲】
【請求項１】
踏まず部及びかかと部を有するソールと、このソールの上方に配設されるアッパーとを備える泥地用靴であって、
上記かかと部が底面に形成される給気溝を有し、
一端が上記給気溝内でこの給気溝形成方向に開口し、他端が上記ソールよりも上方で開口するかかと部用通気路が設けられていることを特徴とする泥地用靴。
【請求項２】
上記給気溝が前後方向に延在する幹溝部を有し、上記かかと部用通気路が上記幹溝部の後端に開口する請求項１に記載の泥地用靴。
【請求項３】
上記給気溝が、上記幹溝部から分岐する枝溝部をさらに有する請求項２に記載の泥地用靴。
【請求項４】
一端が上記踏まず部の下方に開口し、他端が上記ソールよりも上方で開口する踏まず部用通気路がさらに設けられている請求項１、請求項２又は請求項３に記載の泥地用靴。
【請求項５】
上記踏まず部用通気路の一部が上記かかと部に埋設され、上記踏まず部用通気路の上記一端がかかと部から前方上側に向かって突出する請求項４に記載の泥地用靴。
【発明の詳細な説明】
【技術分野】
【０００１】
本発明は、泥地用靴に関する。
【背景技術】
【０００２】
泥地を歩く場合、足が泥に取られる場合がある。これは、靴の底面と泥との間が真空状態となることにより、靴を持ち上げることが妨げられるためである。
【０００３】
そこで、足が泥に取られることを解消するために、靴のかかと部後方に空気を供給する通気路（ダクト）設けることが提案されている（実用新案登録第３０９１９４５号公報参照）。しかしながら、この公報に記載の構成では、例えば田植え時期の水田のように泥の流動性が大きい場合には、靴底と通気路との間が泥で遮断されてしまうため、靴底に上手く空気を供給することができず、泥に足が取られることを十分抑制できない場合がある。
【０００４】
他にも、靴の踏まず部に開口する通気路（管）を設けることにより、靴底に空気を供給することが提案されている（特開平５−９５８０１号公報）。しかしながら、人の歩行動作は、かかと側から靴底を持ち上げるような動きとなる。このため、上記特開平５−９５８０１号公報に記載の構成では、かかと部に空気を効率よく供給できず、泥に足が取られることを十分に抑制できない場合がある。また、上記特開平５−９５８０１号公報では、通気路の開口部にゴム板状の弁を設けることも提案されているが、泥が詰まって弁の動作不良が生じるおそれがある。
【先行技術文献】
【特許文献】
【０００５】
【特許文献１】実用新案登録第３０９１９４５号公報
【特許文献２】特開平５−９５８０１号公報
【発明の概要】
【発明が解決しようとする課題】
【０００６】
上記不都合に鑑みて、本発明は、泥に足が取られることを抑制できる泥地用靴を提供することを課題とする。
【課題を解決するための手段】
【０００７】
上記課題を解決するためになされた発明は、踏まず部及びかかと部を有するソールと、このソールの上方に配設されるアッパーとを備える泥地用靴であって、上記かかと部が底面に形成される給気溝を有し、一端が上記給気溝内でこの給気溝形成方向に開口し、他端が上記ソールよりも上方で開口するかかと部用通気路が設けられていることを特徴とする泥地用靴である。
【０００８】
当該泥地用靴は、かかと部に形成される給気溝内に開口するかかと部用通気路が設けられているので、泥が硬い場合でも柔らかい場合でも、かかと部用通気路から給気溝を介してかかと部と泥との間に空気を確実に供給することができ、ソールの底面と泥との間の真空状態を解消して泥に足が取られることを抑制できる。また、かかと部用通気路が給気溝形成方向に開口することにより、歩行動作における足の踏み込み方向がかかと部用通気路の開口方向と略直角となる。これによって、当該泥地用靴は、かかと部用通気路に泥が詰まり難く、かかと部と泥との間に空気を確実に供給し、泥に足が取られることを抑制できる。
【０００９】
上記給気溝が前後方向に延在する幹溝部を有し、上記かかと部用通気路が上記幹溝部の後端に開口するとよい。このように、給気溝が前後方向に伸び、その後端にかかと部用通気路が開口することによって、ユーザーの歩行動作により靴を持ち上げる際に最初に大きく動くかかと部の後側の底面に効率よく空気を供給できる。このため、当該泥地用靴は、泥に足が取られることを効率よく抑制できる。
【００１０】
上記給気溝が、上記幹溝部から分岐する枝溝部をさらに有するとよい。このように、給気溝が枝溝部を有することで、かかと部の広い範囲に空気を供給することができ、より確実に泥に足が取られることを抑制できる。
【００１１】
一端が上記踏まず部の下方に開口し、他端が上記ソールよりも上方で開口する踏まず部用通気路がさらに設けられているとよい。このように、踏まず部用通気路をさらに備えることによって、当該泥地用靴は、踏まず部ひいては踏み付け部の底面にも空気を供給することができ、ソール全体の泥への吸着を防止できる。
【００１２】
上記踏まず部用通気路の一部が上記かかと部に埋設され、上記踏まず部用通気路の上記一端がかかと部から前方上側に向かって突出するとよい。このように、踏まず部用通気路がかかと部から斜め前方上向きに突出することによって、踏み込み動作によって踏まず部用通気路に泥が入り難く、泥に足が取られることをより確実に抑制できる。
【発明の効果】
【００１３】
上述のように、当該泥地用靴は、かかと部用通気路を介してかかと部と泥との間に空気を供給することによって、泥に足が取られることを抑制できる。
【図面の簡単な説明】
【００１４】
【図１】本発明の一つの実施形態の泥地用靴を示す模式的断面図である。
【図２】図１の泥地用靴の模式的底面図である。
【図３】本発明の図１とは異なる実施形態の泥地用靴を示す模式的断面図である。
【図４】図３の泥地用靴の模式的底面図である。
【発明を実施するための形態】
【００１５】
以下、適宜図面を参照しつつ、本発明の実施の形態を詳説する。
【００１６】
［第一実施形態］
図１及び図２の泥地用靴は、いわゆる長靴である。この泥地用靴は、ユーザーの足が載置されるソール１と、このソール１の上方に配設され、ユーザーの足を覆うアッパー２とを備える。ソール１は、踏み付け部３、踏まず部４及びかかと部５を有する。
【００１７】
ソール１の材質としては、可撓性及び防水性を有する樹脂が好ましく、例えば天然ゴム、合成ゴム等が挙げられる。
【００１８】
ソール１の踏まず部４とかかと部５とは例えば１０ｍｍ以上３０ｍｍ以下の段差を有する。換言すると、かかと部５は、踏まず部４との間の段差を形成する前側面を有する。
【００１９】
アッパー２は、可撓性及び防水性を有するシート状の材料で形成される。アッパー２の材質としては、皮革、ゴムシート、織布とゴムシートとの積層体等が挙げられる。
【００２０】
かかと部５の底面には、給気溝６が形成されている。この給気溝６は、前後方向に延在する幹溝部７と、幹溝部７から左右両側に対称に分岐する複数の枝溝部８とを有する。各枝溝部８は、やや斜め前方に向かって延設され、左側の枝溝部８同士及び右側の枝溝部８同士がそれぞれ略一定の間隔で平行に形成されている。
【００２１】
給気溝６の幹溝部７の断面形状としては、方形、半円形、三角形等の任意の形状とすることができる。かかと部３の底面における幹溝部７の平均幅としては、例えば３ｍｍ以上１５ｍｍ以下とすることができる。幹溝部７の平均深さ（長さ方向に垂直な各断面における最大深さの平均値）としては、例えば３ｍｍ以上１５ｍｍ以下とすることができる。また、幹溝部７の幅、深さ及び形状は、一定でなく変化してもよい。
【００２２】
枝溝部８の断面形状としては、方形、半円形、三角形等の任意の形状とすることができる。特に、枝溝部８の断面形状は、例えば三角形のようなかかと部５の滑り止めを兼ねる形状としてもよい。かかと部３の底面における枝溝部８の平均幅としては、例えば３ｍｍ以上１０ｍｍ以下とすることができる。枝溝部８の平均深さ（長さ方向に垂直な各断面における最大深さの平均値）としては、例えば２ｍｍ以上１０ｍｍ以下とすることができる。また、枝溝部８の平均ピッチとしては、例えば１０ｍｍ以上２０ｍｍ以下とされる。また、枝溝部８の幅、深さ及び形状並びにピッチは、一定でなくてもよい。
【００２３】
また、当該泥地用靴は、アッパー２の背部に上下に延在するようチューブ９が付設されている。チューブ９は、その下端が給気溝６内に配置されるよう折り曲げられている。
【００２４】
チューブ９の材質としては、例えばポリエチレン、ポリプロピレン等の合成樹脂が挙げられる。また、チューブ９として、金属製の管を用いてもよい。また、チューブ９は、複数の部材を繋ぎ合せて形成されてもよい。特に、折り曲げ部分を別部材とすることができる。
【００２５】
チューブ９の断面形状としては、典型的には円形又は方形とされるが、他の任意の形状とすることができる。
【００２６】
チューブ９は、一端（下端）が給気溝６内でこの給気溝形成方向（かかと部５の底面に平行かつ平面視で幹溝部７の長手方向）に開口し、他端（上端）がソール１よりも上方のアッパー２の上端で開口するかかと部用通気路１０を形成する。かかと部用通気路１０は、給気溝６の幹溝部７の後端において前向きに開口している。このかかと部用通気路１０の給気溝６内における開口を形成するチューブ９の端部は、その中心線方向（かかと部用通気路１０の開口方向）に対して略垂直な端面を有する。
【００２７】
かかと部用通気路１０の断面積の下限としては０．５ｍｍ２が好ましく、５ｍｍ２がより好ましい。一方、かかと部用通気路１０の断面積の上限としては２００ｍｍ２が好ましく、８０ｍｍ２がより好ましい。かかと部用通気路１０の断面積が上記下限に満たない場合、給気溝６に十分な空気を供給できず、かかと部５の底面と泥との間が真空状態となり、かかと部５ひいては当該泥地用靴が泥に張り付くことを防止できないおそれがある。一方、かかと部用通気路１０の断面積が上記上限を超える場合、当該泥地用靴が不必要に大きくなるおそれがある。
【００２８】
＜利点＞
当該泥地用靴は、かかと部５に形成される給気溝６内に開口するかかと部用通気路１０が設けられているので、かかと部５と泥との間に直接空気を供給することができ、泥が硬い場合でも柔らかい場合でも、靴底と泥との間の真空状態を解消して、泥に足が取られることを抑制できる。
【００２９】
当該泥地用靴は、かかと部用通気路１０が給気溝６の形成方向に開口することにより、歩行動作における足の踏み込み方向がかかと部用通気路１０の開口方向と略直角となる。これによって、当該泥地用靴は、かかと部用通気路１０に泥が詰まり難く、かかと部５と泥との間に空気を確実に供給して真空状態を解消することにより、泥に足が取られることを抑制できる。
【００３０】
当該泥地用靴では、かかと部用通気路１０が給気溝６の幹溝部７の後端に開口しているので、ユーザーの歩行動作により靴を持ち上げる際に最初に大きく動くかかと部５の後側の底面に効率よく空気を供給できる。このため、当該泥地用靴は、泥に足が取られることを効率よく抑制できる。
【００３１】
当該泥地用靴は、給気溝６が、幹溝部７と枝溝部８とを有するので、かかと部５の底面の広い範囲に効率よく空気を供給することができ、泥に足が取られることをより確実に抑制できる。
【００３２】
［第二実施形態］
図３及び図４の泥地用靴は、ソール１と、このソール１の上方に配設されるアッパー２とを備える、ソール１は、踏み付け部３、踏まず部４及びかかと部５を有する。
【００３３】
図３及び図４の泥地用靴のソール１及びアッパー２の材質は図１及び図２の泥地用靴のソール１及びアッパー２と同様とすることができる。
【００３４】
かかと部５の底面には、給気溝６ａが形成されている。この給気溝６ａは、前後方向に延在する幹溝部７ａと、幹溝部７ａから左右に分岐する複数の枝溝部８ａとを有する。この給気溝６ａにおける幹溝部７ａは、底部の幅方向略半分がより深く掘り下げられた溝状の埋設部１１となっている。また、各枝溝部８ａは、やや斜め前方に向かって延設され、左右それぞれが略一定の間隔で互いに平行に形成されている。
【００３５】
埋設部１１を有する幹溝部７ａのかかと部３の底面における平均幅としては、例えば５ｍｍ以上３０ｍｍ以下とすることができる。また、この幹溝部７ａの平均深さ（長さ方向に垂直な各断面における最大深さの平均値）としては、例えば３ｍｍ以上１５ｍｍ以下とすることができる。また、幹溝部７ａの断面形状としては、方形、半円形、三角形等の任意の形状とすることができる。また、幹溝部７ａの幅、深さ及び形状は、一定でなくてもよい。
【００３６】
図３及び図４の泥地用靴の給気溝６ａの枝溝部８ａの断面形状としては、形状、平均幅、平均深さ及び平均ピッチとしては、図１及び図２の泥地用靴の給気溝６の枝溝部８の形状、平均幅、平均深さ及び平均ピッチと同様とすることができる。
【００３７】
また、当該泥地用靴は、アッパー２の背部に上下に延在するよう２本並んで付設されるチューブ９，１２を有する。
【００３８】
図３及び図４の泥地用靴のチューブ９，１２の材質、形状等は、図１及び図２の泥地用靴のチューブ９と同様とすることができる。
【００３９】
一方のチューブ９は、一端が給気溝６ａ内でこの給気溝形成方向に開口し、他端がソール１よりも上方のアッパー２の上端で開口するかかと部用通気路１０を形成する。かかと部用通気路１０は、給気溝６ａの幹溝部７ａの後端において前向きに開口している。このかかと部用通気路１０の給気溝６ａ内における開口を形成するチューブ９の端部は、その中心線方向（かかと部用通気路１０の開口方向）に対して略垂直な端面を有する。
【００４０】
図３及び図４の泥地用靴におけるかかと部用通気路１０の断面積としては、図１及び図２の泥地用靴におけるかかと部用通気路１０の断面積と同様とすることができる。
【００４１】
また、他方のチューブ１２は、一端が踏まず部４の下方に開口し、他端がソール１よりも上方のアッパー２の上端で開口する踏まず部用通気路１３を形成する。踏まず部用通気路１３は、一部がかかと部５の幹溝部７ａの埋設部１１に埋設され、一端がかかと部５の前側面から踏まず部４の下方に前方上側に向かって突出している。
【００４２】
より詳しくは、この踏まず部用通気路１３の一端は、かかと部５から略水平方向に延出し、弧を描くように上側に湾曲して延伸し、開口位置において水平方向に対して例えば５度以上３０度以下の角度を有している。
【００４３】
また、踏まず部用通気路１３を形成するチューブ１２の踏まず部４の下方側の端部の端面は、その中心線方向（踏まず部用通気路１３の開口方向）に対して法線方向が例えば３０度以上７０度以下の角度を有し、踏まず部４の底面に対向するよう傾斜している。
【００４４】
踏まず部用通気路１３の断面積の下限としては０．５ｍｍ２が好ましく、５ｍｍ２がより好ましい。一方、踏まず部用通気路１３の断面積の上限としては２００ｍｍ２が好ましく、８０ｍｍ２がより好ましい。踏まず部用通気路１３の断面積が上記下限に満たない場合、給気溝６ａに十分な空気を供給できず、かかと部５の底面と泥との間が真空状態となり泥に張り付くことを防止できないおそれがある。一方、踏まず部用通気路１３の断面積が上記上限を超える場合、当該泥地用靴が不必要に大きくなるおそれがある。
【００４５】
踏まず部用通気路１３の中心線上でのかかと部５からの突出長さとしては例えば１０ｍｍ以上３０ｍｍ以下とされる。
【００４６】
＜利点＞
図３及び図４の当該泥地用靴は、図１及び図２の当該泥地用靴と同様に、給気溝６ａ内に開口するかかと部用通気路１０からかかと部５の底面と泥との間に直接空気を供給することができ、靴底と泥との間の真空状態を解消することによって、泥に足が取られることを抑制できる。
【００４７】
当該泥地用靴は、踏まず部用通気路１３をさらに備えるので、踏まず部４とかかと部５との間に段差を有し、給気溝６ａから踏まず部４と泥との間に空気を供給することが困難であっても、踏まず部用通気路１３を介して踏まず部４と泥との間に空気を供給することができる。また、踏まず部４と泥との間に供給された空気は、踏まず部４に連続する踏み付け部３と泥との間にも容易に移動し得る。このため、当該泥地用靴は、ソール１全体の泥への吸着を防止できる。
【００４８】
当該泥地用靴は、上記踏まず部用通気路１３の一部が上記かかと部５に埋設されているので、給気溝６ａを遮断せず、かかと部５の泥への吸着防止を阻害しない。
【００４９】
また、当該泥地用靴では、踏まず部用通気路１３の一端がかかと部５から前方上側に向かって突出するので、踏み込み時に踏まず部用通気路１３に泥が入り難く、泥に足が取られることをより確実に抑制できる。
【００５０】
また、当該泥地用靴では、踏まず部用通気路１３を形成するチューブ１２の端面が踏まず部４の底面に対向するよう傾斜しているので、踏み込み時の踏まず部用通気路１３への泥の浸入をより確実に防止できる。
【００５１】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらはすべて本発明の範囲に属するものと解釈されるべきである。
【００５２】
本発明に係る泥地用靴は、長靴に限定されず、ブーツ、トレッキングシューズ、軍隊用靴、胴付き長靴等であってもよい。
【００５３】
かかと部用通気路及び踏まず部用通気路は、アッパー及びソールに付設されるチューブによって形成される外、ソールやアッパーと一体に形成されてもよい。例えば、ソールを形成する金型の形状やインサートによってかかと部用通気路及び踏まず部用通気路の一部を形成してもよい。かかと部用通気路及び踏まず部用通気路は、アッパーの層間に配設されてもよく、アッパーの内側に付設されてもよい。
【００５４】
かかと部用通気路及び踏まず部用通気路の上側の開口は、必ずしもアッパーの上端と同じ高さにある必要はない。
【００５５】
また、当該泥地用靴の給気溝は、枝溝部を有しない一条の溝であってもよい。この場合、踏まず部用通気路は、給気溝と並んで形成した溝に埋設してもよい。
【００５６】
また、給気溝の幹溝部は、前後方向と異なる方向、例えば左右方向に延在してもよい。
【００５７】
また、当該泥地用靴のソールにおいて、踏まず部及びかかと部は、形状において境界が定められる必要はなく、ユーザーの土踏まず及びかかとにそれぞれ対応する領域を有することを意味する。従って、当該泥地用靴のソールはいわゆる平底であってもよい。
【産業上の利用可能性】
【００５８】
本発明は、泥地での使用が見込まれる泥地用靴に広く適用できる。
【符号の説明】
【００５９】
１  ソール
２  アッパー
３  踏み付け部
４  踏まず部
５  かかと部
６，６ａ  給気溝
７，７ａ  幹溝部
８，８ａ  枝溝部
９，１２  チューブ
１０  かかと部用通気路
１１  埋設部                                                               
１３  踏まず部用通気路
【図１】
2015229005.tif 000003
【図２】
2015229005.tif 000004
【図３】
2015229005.tif 000005
【図４】
2015229005.tif 000006
【手続補正書】
【提出日】平成27年7月14日(2015.7.14)
【手続補正１】
【補正対象書類名】特許請求の範囲
【補正対象項目名】全文
【補正方法】変更
【補正の内容】
【特許請求の範囲】
【請求項１】
踏まず部及びかかと部を有するソールと、このソールの上方に配設されるアッパーとを備える泥地用靴であって、
上記かかと部が底面に形成される給気溝を有し、
上記アッパーの背部に上下に延在するよう付設され、一端が上記給気溝内でこの給気溝形成方向に開口するよう折り曲げられ、他端が上記ソールよりも上方で開口するチューブにより形成され、上記給気溝に空気を供給するかかと部用通気路と、
一端が上記踏まず部の下方に開口し、他端が上記ソールよりも上方で開口し、上記踏まず部の底面に空気を供給する踏まず部用通気路とが設けられていることを特徴とする泥地用靴。
【請求項２】
上記給気溝が前後方向に延在する幹溝部を有し、上記かかと部用通気路が上記幹溝部の後端に開口する請求項１に記載の泥地用靴。
【請求項３】
上記給気溝が、上記幹溝部から分岐する枝溝部をさらに有する請求項２に記載の泥地用靴。
【請求項４】
上記踏まず部用通気路の一部が上記かかと部に埋設され、上記踏まず部用通気路の上記一端がかかと部の前側面から前方上側に向かって突出する請求項１、請求項２又は請求項３に記載の泥地用靴。